(57)【特許請求の範囲】
【請求項１】
用紙に所定の処理を施して排出する用紙処理部と、前記用紙処理部から排出された用紙を収納する排紙受け台とを備えた用紙処理装置に適用され、前記用紙処理部から排出された用紙を前記排紙受け台上で受け入れる複数の排紙トレイを分離可能に積み重ねて前記排紙受け台に対して着脱可能に設けた排紙収納装置において、
前記排紙受け台は、前記用紙処理部から排出された用紙が衝突する突き当て板と、前記突き当て板に衝突して落下する用紙が積載される積載台と、前記積載台に積載された用紙の両側縁の位置を規制する一組の側壁とを備え、前記一組の側壁が前記排紙トレイに積載された用紙の両側縁の位置を規制するように移動可能に設けられたことを特徴とする排紙収納装置。
【請求項２】
用紙に所定の処理を施して排出する用紙処理部と、前記用紙処理部から排出された用紙を収納する排紙受け台とを備えた用紙処理装置に適用される排紙収納装置において、
前記用紙処理部から排出された用紙の両側縁の位置を規制する一組の用紙側縁位置規制部を有し前記排紙受け台に対して着脱可能な基体と、
前記用紙処理部から排出された用紙が衝突する用紙突き当て部および該用紙突き当て部に衝突して落下する用紙が積載される用紙積載部を有し、分離可能に積み重ねて前記基体に対して着脱可能に設けた複数の排紙トレイと、
を備えたことを特徴とする排紙収納装置。
【発明の詳細な説明】
【０００１】
【発明の分野】
この発明は、用紙処理部で処理された用紙を排紙受け台上に排出する用紙処理装置に適用され、特に前記排紙受け台に着脱可能に取り付けられて前記用紙処理部から排出された処理済みの用紙を所定枚数毎に管理することのできる排紙収納装置に関する。本発明における用紙処理装置は、印刷用紙のような薄片状の被処理体に何らかの所定の処理を施して排出するあらゆる種類の装置を意味し、具体的には孔版印刷装置を含むあらゆる印刷装置や電子複写装置等の画像形成装置の他、印刷された画像が崩れないように印刷済みの用紙を後処理する後処理装置等を含む。
【０００２】
【従来の技術】
従来、画像形成処理されて画像形成部から排出された用紙を所定枚数毎に管理する技術としては、実開昭６４−４５６５４号公報に記載された考案がある。これは、区分け用のテープを適当な長さに切断し、所定印刷枚数毎に積載された印刷済みの印刷用紙の間に挿入するものである。また、特開昭６１−２６７６５９号公報に記載の発明のように、印刷済みの印刷用紙の排出方向に対し、所定印刷枚数毎に排紙台を所定角度回動させ、区別したい印刷用紙の束同士が異なる方向を向いて排紙台上で重なるようにしたものもある。
【０００３】
【発明が解決しようとする課題】
しかし、上記従来の装置は構成が複雑で製造原価が高い。また、区分けされた印刷物は一つの排紙台の上で積み重ねられた状態となるので、特に区分け枚数の少ない印刷物を多種類印刷した場合等には区分けした印刷物の取り扱いが煩雑である。
【０００４】
また葉書やコート紙のように印刷インキが浸透し難い印刷用紙の場合には、印刷物を排紙台から取り出す際の把持力により印刷物の印刷面に圧力が加わり、これによって乾いていない印刷インキが上に重なった印刷用紙の裏面に移る、所謂裏移りと呼ばれる現象が生じる等の問題がある。
【０００５】
【課題を解決するための手段】
本発明は、用紙処理部から排出された用紙を受け入れる用紙処理装置、例えば画像形成装置に適用され、画像形成部から排出された用紙を受け入れる画像形成装置の排紙受け台に複数積み重ねて着脱可能に取り付けることができ、その上に積載された用紙を排紙受け台から触れずに取り出すことができる構成の簡単な排紙収納装置を提供することを目的としている。
【０００６】
請求項１に記載された排紙収納装置は、用紙に所定の処理を施して排出する用紙処理部と、前記用紙処理部から排出された用紙を収納する排紙受け台とを備えた用紙処理装置に適用され、前記用紙処理部から排出された用紙を前記排紙受け台上で受け入れる複数の排紙トレイを分離可能に積み重ねて前記排紙受け台に対して着脱可能に設けた排紙収納装置において、前記排紙受け台は、前記用紙処理部から排出された用紙が衝突する突き当て板と、前記突き当て板に衝突して落下する用紙が積載される積載台と、前記積載台に積載された用紙の両側縁の位置を規制する一組の側壁とを備え、前記一組の側壁が前記排紙トレイに積載された用紙の両側縁の位置を規制するように移動可能に設けられたことを特徴とする。
【０００７】
請求項２に記載された排紙収納装置は、用紙に所定の処理を施して排出する用紙処理部と、前記用紙処理部から排出された用紙を収納する排紙受け台とを備えた用紙処理装置に適用される排紙収納装置において、前記用紙処理部から排出された用紙の両側縁の位置を規制する一組の用紙側縁位置規制部を有し前記排紙受け台に対して着脱可能な基体と、前記用紙処理部から排出された用紙が衝突する用紙突き当て部および該用紙突き当て部に衝突して落下する用紙が積載される用紙積載部を有し、分離可能に積み重ねて前記基体に対して着脱可能に設けた複数の排紙トレイとを備えたことを特徴とする。
【０００９】
【発明の実施の形態】
図１から図６を参照して本発明の第１の実施の形態を説明する。図１は、用紙処理装置である印刷機の本体に常設されている排紙受け台１の斜視図である。排紙受け台１は、積載台２、突き当て板３、一対の側壁４（図１において手前側の一方は図示していない。）を備えている。印刷済みの印刷用紙は、各図中に矢印イで示すように、印刷機から実質的に水平方向に排出される。印刷用紙が排出される矢印イの方向を、印刷用紙排出方向と呼ぶ。突き当て板３は、印刷用紙排出方向に対して直交する面を有している。突き当て板３は、印刷用紙排出方向に平行な縦案内レール５に沿って移動でき、位置を調整できる。印刷機から排出された印刷済みの印刷用紙は、突き当て板３に衝突して前記積載台２の上に落下し、積載台２の上に積載されていく。一対の側壁４，４は、印刷用紙排出方向に実質的に平行で鉛直な案内面を有し、互いに平行な状態を保持している。一対の側壁４，４は、印刷用紙排出方向と略直交する方向に平行な横案内レール６，６に沿って移動でき、位置を調整して間隔を任意に設定できる。印刷機から排出された印刷用紙排出方向に平行な一対の側縁は、一対の側壁４，４によって規制される。
【００１０】
印刷機の排紙受け台１が通常のサイズの印刷用紙を受け入れて載置するものであれば、以下に説明する本例の排紙収納装置はそれよりも小さな例えば葉書等を印刷する際の排紙収納装置として利用されるものであり、図４に示すように前記排紙受け台１の上に着脱可能に装着されて使用されるものである。本例の排紙収納装置は、図４に示すように、前記排紙受け台１に対して着脱可能な基体７と、基体７に着脱可能な排紙トレイ１５を有する。
【００１１】
図２は、本例の排紙収納装置の一部を構成している基体７を排紙受け台１に取り付けた状態を示す斜視図である。図４は、排紙受け台１に取り付けた排紙収納装置を印刷用紙排出方向に平行な平面で切断した断面図である。図５は、排紙受け台１に取り付けた排紙収納装置の平面図である。図２乃至図４に示すように、基体７は、平面視略Ｔ字形で略水平な板状の部材である。基体７は、基体７を排紙受け台１上に着脱可能に支持する第一係止部８及び第二係止部９を有している。第一係止部８及び第二係止部９は、基体７の下面に取り付けられて下方に突出した板状の部材である。第一係止部８は、基体７の印刷機に近い側に形成され、排紙受け台１の印刷機側の端縁に係合する。第一係止部８は、印刷用紙排出方向に関して、基体７の位置を固定する。第二係止部９は、印刷用紙排出方向に平行な一対の片部を有し、図４及び図５に示すように縦案内レール５と積載台２との間の溝Ｈに摺動可能に挿入される。第二係止部９は、印刷用紙排出方向と直交する方向に関して、基体７の位置を固定する。図４及び図５に示すように、基体７は、脚部２７を有する。脚部２７は、基体７を排紙受け台１の積載台２上に支持するための部材であり、前記第二係止部９と一体に形成されて基体７の裏面に固定されている。
【００１２】
基体７には、第三係止部１０と第四係止部１１が形成されている。第三係止部１０と第四係止部１１は、基体７の一部を切り欠いて印刷機本体側に傾けて起立させた片状の部分である。第三係止部１０と第四係止部１１は、印刷用紙排出方向に沿って並んでいる。第三係止部１０と第四係止部１１は、後述する排紙トレイ１５を基体７上に取り付ける際、排紙トレイ１５の一部分に係止する。
【００１３】
基体７には、一対の用紙側縁位置規制部１２，１２が設けられている。用紙側縁位置規制部１２は、印刷用紙排出方向に平行で、かつ基体７と直交する略鉛直な案内面を備えている。一対の用紙側縁位置規制部１２，１２は案内面が互いに平行である。基体７には印刷用紙排出方向に直交する方向を長手方向とする一対の長孔１４，１４が形成されている。一対の用紙側縁位置規制部１２，１２の各基部は、長孔１４，１４を挿通するネジ１３，１３によって、基体７に対して移動可能に取り付けられている。従って、一対の用紙側縁位置規制部１２，１２は、印刷用紙排出方向に直交する水平方向の位置を変更でき、図６に示すように、その間隔を、印刷しようとする印刷用紙のサイズに合わせて、最大幅位置（符号Ｌで示す）と最小幅位置（符号Ｓで示す）との間で任意に調整できる。前述したように本例の排紙収納装置を葉書専用のアタッチメントとして利用するのであれば、往復葉書を印刷する場合には用紙側縁位置規制部１２，１２を最大幅位置に設定し、普通葉書を印刷刷る場合には用紙側縁位置規制部１２，１２を最小幅位置に設定すればよいように寸法を定める。この一対の用紙側縁位置規制部１２，１２は、印刷機から排出された印刷用紙の、印刷用紙排出方向に平行な一対の側縁を規制する。
【００１４】
図３は、前記基体７に着脱可能に取り付けられる排紙トレイ１５の斜視図である。排紙トレイ１５は、印刷機から排出された印刷用紙が衝突する用紙突き当て部１７と、用紙突き当て部１７に衝突して跳ね返った印刷用紙の後端を受け止める後壁部１８と、排出された印刷済みの印刷用紙を載置する用紙積載部１６とを有している。用紙突き当て部１７の上端部には、排紙トレイ１５を動かすために操作者が掴む把持部１９が形成されている。排紙トレイ１５は、図４に示すように複数個を積み重ねて使用する。このように複数個の排紙トレイ１５を積み重ねた時に、最上部の排紙トレイ１５の把持部１９に指先が掛けられるよう、各排紙トレイ１３の間に所定の距離を保つため、排紙トレイ１５の用紙積載部１６の四隅には舌部２０が形成されている。排紙トレイ１５の用紙積載部１６には、第一開口２１と第二開口２２が形成されている。第一開口２１と第二開口２２は前記基体７の第三係止部１０と第四係止部１１に係止し、排紙トレイ１５を基体７に支持する。排紙トレイ１５の用紙突き当て部１７には、印刷用紙が用紙積載部１６に向けて落下する際のエアー抜き用の開口２３が形成されている。排紙トレイ１５の後壁部１８と用紙積載部１６には、用紙積載部１６から用紙を取り出す際に指先を入れるための開口２４、２５がそれぞれ形成されている。
【００１５】
図３及び図４に示すように、用紙突き当て部１７の外面には、金属又は合成樹脂又はゴム等からなる板２６を張り合わせてあり、印刷用紙が衝突した際に発生する音が小さくなる。
【００１６】
次に、本例の排紙収納装置の使用方法を説明する。印刷機の排紙受け台１に基体７を取り付ける。前記基体７に、排紙トレイ１５を装着する。まず排紙トレイ１５の把持部１９側を持ち上げた状態で、排紙トレイ１５の第一開口２１の一辺を基体７の第三係止部１０に引っかける。その後、排紙トレイ１５の把持部１９側を下ろして第二開口２２を第四係止部１１係合させる。排紙トレイ１５を基体７から取り出す場合は上記と逆の手順となる。
【００１７】
基体７の上に装着した排紙トレイ１５に、図４に示すように必要な個数の排紙トレイ１５を重ねる。この状態で印刷を行う。印刷機から排出された印刷済みの印刷用紙は、排紙トレイ１５の用紙突き当て部１７に衝突し、用紙積載部１６の上に落下する。用紙突き当て部１７に衝突した反動が強くて印刷用紙が印刷機側に跳ね返った場合には、後壁部１８が印刷用紙を受け止める。印刷用紙が用紙積載部１６上に落下する際に開口２３から空気が抜けるので、印刷用紙は速やかに用紙積載部１６乃至用紙積載部１６に積載された印刷用紙の上に積み重なっていくことができる。
【００１８】
区分けすべき所定枚数の印刷が完了したら、印刷機の運転を止める。排紙収納装置の基体７から一番上の排紙トレイ１５を取り外す。この時、把持部１９に指を掛けて排紙トレイ１５を持つことができるので、排紙トレイ１５に載置された印刷用紙には触れる必要がない。従って、印刷されたばかりで乾燥していない印刷用紙の印刷インキを上の印刷用紙の裏面に押し付けて裏移りを発生させたり、印刷画像を乱す等の問題は生じない。基体から取り出した排紙トレイ１５はそのまま適当な場所に置き、印刷用紙を乾燥させる。乾燥後、開口２４，２５から指を入れて印刷用紙を排紙トレイ１５から取り出す。
【００１９】
基体７から排紙トレイ１５を取り出した後、次のロットの印刷を開始し、次に区分けすべき所定枚数の印刷用紙を次の排紙トレイ１５の中に受け入れる。以後同様に、排紙トレイ１５の取り出し・乾燥と、次のロットの印刷を続行する。
【００２０】
本発明の第２の実施の形態を図７を参照して説明する。本例では、印刷機の排紙受け台１ａは、突き当て板３ａと、側壁４ａを備えている。本発明の排紙収納装置としての本例の排紙トレイ１５ａは、用紙積載部１６ａと用紙突き当て部１７ａと後壁部１８ａとを一体的に形成し、排紙受け台１ａに対して着脱可能としたものである。本例の場合、印刷用紙の両側縁位置は排紙受け台１ａの側壁４ａ，４ａにより規制される。排紙受け台１ａの側壁４ａ，４ａの間隔は任意に設定できるようにしてもよい。
【００２１】
本発明の第３の実施の形態を図８を参照して説明する。本例では、印刷機の排紙受け台１ｂは少なくとも印刷用紙の積載台２ｂを有している。本発明の排紙収納装置としての本例の排紙トレイ１５ｂは、用紙積載部１６ｂと用紙突き当て部１７ｂと用紙側縁位置規制部１２ｂ，１２ｂと後壁部１８ｂとを一体的に形成し、排紙受け台１ｂに対して着脱可能としたものである。本例の場合、印刷用紙の両側縁位置は排紙トレイ１５ｂの用紙側縁位置規制部１２ｂ，１２ｂにより規制される。この用紙側縁位置規制部１２ｂ，１２ｂは、間隔を任意に調整できるものでもよいし、所定の間隔に固定されているものでもよい。
【００２２】
【発明の効果】
本発明の排紙収納装置によれば次のような効果が得られる。
▲１▼  印刷物を区分け単位毎に各別の排紙トレイに積載したまま移動又は乾燥のために取り出して放置でき、区分け単位毎の印刷物の処理や管理が容易になる。
▲２▼  印刷物に手を触れずに印刷物を印刷機の排紙受け台から取り出せるので、葉書のような小さな印刷物でも排紙トレイに整然と積み重ねられた状態のまま簡単に取り出すことができる。
▲３▼  また印刷物を排紙受け台から取り出す際に印刷物を把持する必要がないので、印刷物に裏移り等の印刷上の問題が生じない。
【図面の簡単な説明】
【図１】印刷機の排紙受け台の斜視図である。
【図２】本発明の実施の第１の形態において、印刷機の排紙受け台に取り付けられた基体を示す斜視図である。
【図３】本発明の実施の第１の形態における排紙トレイの斜視図である。
【図４】本発明の実施の第１の形態における排紙収納装置の断面図である。
【図５】一部を省略した本発明の実施の第１の形態における排紙収納装置の平面図である。
【図６】本発明の実施の第１の形態における基体の平面図である。
【図７】本発明の実施の第２の形態を示す斜視図である。
【図８】本発明の実施の第３の形態を示す斜視図である。
【符号の説明】
１，１ａ，１ｂ  排紙受け台
２，２ｂ  積載台
３，３ａ  突き当て板
４，４ａ  側壁
５  縦案内レール
６  横案内レール
７  基体
８  第一係止部
９  第二係止部
１０  第三係止部
１１  第四係止部
１２，１２ｂ  用紙側縁位置規制部
１３  ネジ
１４  長孔
１５，１５ａ，１５ｂ  排紙トレイ
１６，１６ａ，１６ｂ  用紙積載部
１７，１７ａ，１７ｂ  用紙突き当て部
１８，１８ａ，１８ｂ  後壁部
１９  把持部
２０  舌部
２１  第一開口
２２  第二開口
２３  開口
２４  開口
２５  開口
２６  金属板
２７  脚部
Ｈ  溝
【図１】
0003681445.tif 000002
【図２】
0003681445.tif 000003
【図３】
0003681445.tif 000004
【図４】
0003681445.tif 000005
【図５】
0003681445.tif 000006
【図６】
0003681445.tif 000007
【図７】
0003681445.tif 000008
【図８】
0003681445.tif 000009